(57)【要約】【課題】抗原又は抗体の簡易かつ高感度な測定方法を提供する。【解決手段】（１）基材に固定した抗原抗体複合体を測定対象である抗原又は抗体を含む溶液と接触させる工程、ここで、測定対象が抗原である場合には、前記基材に固定した抗原抗体複合体は、測定対象である抗原に特異的な抗体を基材に固定し、この固定した抗体に標識された測定対象である抗原が結合したものであり、測定対象が抗体である場合には、前記基材に固定した抗原抗体複合体は、測定対象である抗体に特異的な抗原を基材に固定し、この固定した抗原に標識された測定対象である抗体が結合したものである、（２）前記基材に固定した抗原抗体複合体を測定対象である抗原又は抗体を含む溶液と分離する工程、及び（３）前記測定対象である抗原又は抗体を含む溶液中の標識された測定対象である抗原又は抗体の量を測定する工程を含む、抗原又は抗体の測定方法。【選択図】なし【特許請求の範囲】
【請求項１】
下記工程：
（１）基材に固定した抗原抗体複合体を測定対象である抗原又は抗体を含む溶液と接触させる工程、
ここで、測定対象が抗原である場合には、前記基材に固定した抗原抗体複合体は、測定対象である抗原に特異的な抗体を基材に固定し、この固定した抗体に標識された測定対象である抗原が結合したものであり、測定対象が抗体である場合には、前記基材に固定した抗原抗体複合体は、測定対象である抗体に特異的な抗原を基材に固定し、この固定した抗原に標識された測定対象である抗体が結合したものである、
（２）前記基材に固定した抗原抗体複合体を測定対象である抗原又は抗体を含む溶液と分離する工程、及び
（３）前記測定対象である抗原又は抗体を含む溶液中の標識された測定対象である抗原又は抗体の量を測定する工程
を含む、抗原又は抗体の測定方法。
【請求項２】
下記：
（１）抗原抗体複合体を固定した基材、
ここで、測定対象が抗原である場合には、前記基材に固定した抗原抗体複合体は、測定対象である抗原に特異的な抗体を基材に固定し、この固定した抗体に標識された測定対象である抗原が結合したものであり、測定対象が抗体である場合には、前記基材に固定した抗原抗体複合体は、測定対象である抗体に特異的な抗原を基材に固定し、この固定した抗原に標識された測定対象である抗体が結合したものである、及び
（２）測定対象である抗原又は抗体を含む溶液を収容することができる容器
を含む、抗原又は抗体の測定装置。
【発明の詳細な説明】
【技術分野】
【０００１】
本発明は、抗原又は抗体を高感度かつ簡易に測定する方法に関する。
【背景技術】
【０００２】
近年、健康や環境問題の高まりから、水質、大気、土壌などの環境中に含まれるアレルゲンや化学物質等の微量成分の測定のための、高感度かつ簡易な測定方法の開発が求められている。
【０００３】
アレルゲンとはアレルギー疾患を持っている人の抗体と特異的に反応する抗原であり、
ダニの虫体や糞などを含むハウスダスト、イヌ、ネコなどのフケなどの皮屑、細菌、真菌などの微生物、スギ花粉、イネ科植物花粉、キク科植物花粉などの花粉、大豆、卵、牛乳などの食品、ペニシリンなどの薬剤等、その対象は、生物から低分子化合物までの多岐にわたる。さらに、細菌、細菌の死骸、毒素やその代謝産物等に対する抗体もアレルゲンとなることが知られている。これらのアレルゲンは微量であってもアレルギー反応を引き起こすことから、食品衛生法にもとづき、アレルギー物質を使用している旨の表示が義務付けられている。
【０００４】
また、食の安心・安全に対する関心が高まり、そのためのチェックシステムの整備が社会的に求められている。最近、いわゆるポジティブリスト制度が採用され、基準が設定されていない農薬等であっても、一定量（０．０１ｐｐｍ）以上含まれる食品の流通が原則禁止されている。農薬等の低分子化合物であっても、ハプテンと呼ばれる、免疫原性を欠くが抗原性のみをもつ抗原も知られている。また、免疫学的手法の発達により、抗原性のない低分子化合物であっても、それに特異的な抗体を作製することが可能になっている。この場合、それ自体では、抗原性のない物質であっても、抗原抗体反応を利用して抗原として検出することができる。
【０００５】
従来の抗原抗体反応を利用した抗原又は抗体の測定法には、ポリスチレンなどの固相に結合させ不溶化した抗原に測定すべき抗体をトラップさせ、酵素標識二次抗体（抗体に対する抗体）を反応させて、固相に結合した酵素活性を測定する方法が知られている。より具体的には、標的物質に対する抗体をマイクロプレートなどに吸着させ、抗体に結合した標的物質に対してさらに第一の抗体とは異なるエピトープを認識する酵素標識した抗体を結合させるというサンドイッチ法、また、標的物質に対する抗体をあらかじめマイクロプレートなどに吸着させ、次に標的物質とともに、酵素標識した競合物質を反応させる競合法などが知られている。しかし、これらの方法は、いずれも、未反応の抗体を除去するための洗浄工程が必要であるという欠点があった。
【０００６】
特許文献１には、測定対象である抗原（又は抗体）を基材に固定し、この固定した抗原（又は抗体）に特異的な標識された抗体（又は抗原）が結合した抗原抗体複合体を、測定対象である抗原（又は抗体）を含む被検液と接触させ、測定対象である抗原（又は抗体）の濃度に応じて、測定対象である抗原（又は抗体）と前記抗原抗体複合体から遊離した抗体（又は抗原）とで被検液中に新たな抗原抗体複合体を形成させ、被検液から基材を分離した後に、新たに形成された抗原抗体複合体中の前記標識物質の量を測定する抗原（又は抗体）の測定方法が記載されている。
【０００７】
この方法は、測定対象である抗原又は抗体が基材に遊離することができない態様で固定されており（固定種）、この固定種と被検液中の遊離した測定対象（遊離種）とが、固定種と免疫学的に対合する関係にある遊離可能な種（遊離可能種）との結合を競合することを特徴とする。すなわち、被検液中の遊離種が抗原抗体複合体から遊離可能種を連れ出し、新たな抗原抗体複合体を形成する、いわば、「連れ出し法」といえるものである。この「連れ出し法」においては、測定対象が抗原又は抗体のいずれであっても、被検液中での新たな抗原抗体複合体の形成を必要とする。また、測定対象は、この新たに形成された抗原抗体複合体である。さらに、標識は、測定対象ではなく、測定対象と免疫学的に対合する関係にある種、すなわち、測定対象が抗原であれば標識対象は抗体であり、これとは反対に、測定対象が抗体であれば標識対象は抗原である。
【０００８】
しかし、上記の「連れ出し法」では、遊離種が遊離可能種を連れ出し、被検液中で新たな抗原抗体複合体を形成させることが必要とされるという問題があった。
【特許文献１】特開２０００−７４９１８号公報
【発明の開示】
【発明が解決しようとする課題】
【０００９】
本発明は、前記の従来の方法の問題点を解決した高感度かつ簡易な抗原又は抗体の測定方法を提供する。
【課題を解決するための手段】
【００１０】
本発明者は、鋭意研究に励んだ結果、驚くべきことに、標識された抗原又は抗体を有する抗原抗体複合体と測定対象である抗原又は抗体とを接触させた場合、標識された抗原抗体複合体より測定対象中の抗原又は抗体量に対応した量で標識された抗原又は抗体が測定対象を含む溶液中に遊離し、この遊離した抗原又は抗体の標識の量を測定することによって、測定対象中に存在していた抗原又は抗体を測定することができることを見出し、本発明を完成した。
【００１１】
すなわち、本発明は、
１．下記工程：
（１）基材に固定した抗原抗体複合体を測定対象である抗原又は抗体を含む溶液と接触させる工程、
ここで、測定対象が抗原である場合には、前記基材に固定した抗原抗体複合体は、測定対象である抗原に特異的な抗体を基材に固定し、この固定した抗体に標識された測定対象である抗原が結合したものであり、測定対象が抗体である場合には、前記基材に固定した抗原抗体複合体は、測定対象である抗体に特異的な抗原を基材に固定し、この固定した抗原に標識された測定対象である抗体が結合したものである、
（２）前記基材に固定した抗原抗体複合体を測定対象である抗原又は抗体を含む溶液と分離する工程、及び
（３）前記測定対象である抗原又は抗体を含む溶液中の標識された測定対象である抗原又は抗体の量を測定する工程
を含む、抗原又は抗体の測定方法、
２．下記：
（１）抗原抗体複合体を固定した基材、
ここで、測定対象が抗原である場合には、前記基材に固定した抗原抗体複合体は、測定対象である抗原に特異的な抗体を基材に固定し、この固定した抗体に標識された測定対象である抗原が結合したものであり、測定対象が抗体である場合には、前記基材に固定した抗原抗体複合体は、測定対象である抗体に特異的な抗原を基材に固定し、この固定した抗原に標識された測定対象である抗体が結合したものである、及び
（２）測定対象である抗原又は抗体を含む溶液を収容することができる容器
を含む、抗原又は抗体の測定装置、
に関する。
【００１２】
すなわち、本発明の方法は、測定対象と免疫学的に対合する関係にある種が基材に遊離することができない態様で固定されている（固定種）。そのため、固定種は、他のどの種とも免疫学的な競合関係にない。本発明の方法においては、被検液中の遊離した測定対象（遊離種）と、固定種と免疫学的に対合する関係にある遊離可能な種（遊離可能種）とが、固定種との結合を競合することを特徴とする。すなわち、被検液中の遊離種が抗原抗体複合体から遊離可能種を追い出し、遊離可能種の位置に取って代わろうするものである、いわば、「追い出し法」といえるものである。本発明の「追い出し法」においては、測定対象が抗原又は抗体のいずれであっても、被検液中の新たな抗原抗体複合体の形成を必要とはしない。また、測定対象は、抗原抗体複合体ではなく、被検液中に遊離した遊離可能種である。さらに、標識は、測定対象と免疫学的に同一の関係にある種、すなわち、測定対象が抗原であれば標識対象も抗原であり、これと同様に、測定対象が抗体であっても標識対象は抗体である。
【００１３】
上記のように、本発明の「追い出し法」は、従来の「連れ出し法」とは、「追い出し法」では、測定対象と免疫学的に対合する関係にある種を固定種とするのに対し、「連れ出し法」では、測定対象と免疫学的に同一の関係にある種を固定種とする点、「追い出し法」では、被検液中の新たな抗原抗体複合体の形成を必要とはしないのに対し、「連れ出し法」では、被検液中の新たな抗原抗体複合体の形成を必要とする点、「追い出し法」では、測定対象が被検液中に遊離した遊離可能種であるのに対し、「連れ出し法」では、測定対象が被検液中に新たに形成された抗原抗体複合体である点、さらに、「追い出し法」では、測定対象と免疫学的に同一の関係にある種が標識されるのに対し、「連れ出し法」では、測定対象と免疫学的に対合する関係にある種が標識される点で相違する。すなわち、本発明の「追い出し法」は、従来の「連れ出し法」とは、根本的な発想を異にする、斬新かつ画期的な方法である。
【発明の効果】
【００１４】
本発明によれば、抗原や抗体の未知の濃度を、特異的に高感度で、洗浄工程を省いて迅速かつ簡便に測定する方法及び装置を提供することができる。
【発明を実施するための最良の形態】
【００１５】
本発明において抗原抗体複合体とは、測定対象が抗原である場合には、測定対象である抗原に特異的な抗体を基材に固定し、この固定した抗体に標識された測定対象である抗原が結合したものであり、測定対象が抗体である場合には、測定対象である抗体に特異的な抗原を基材に固定し、この固定した抗原に標識された測定対象である抗体が結合したものである
【００１６】
本発明では、前記基材に固定した抗原抗体複合体を測定対象である抗原又は抗体を含む溶液と接触させることにより、溶液中の測定対象である抗原又は抗体の濃度に応じて、標識された測定対象である抗原又は抗体を抗原抗体複合体から溶液中に遊離させ、この遊離された標識された測定対象である抗原又は抗体を測定する。
【００１７】
本発明で接触とは、抗原抗体複合体と測定対象である抗原又は抗体が同時に同一空間に存在していることをいう。
【００１８】
本発明の一態様においては、基材に固定した測定対象である抗原に対する抗体と酵素標識抗原との複合体を、測定対象である抗原を含む溶液と接触させる。この工程によって、前記溶液中に含まれる抗原の量に対応した量の酵素標識抗原を前記溶液中に遊離させることができる。基材に固定した測定対象である抗原に対する抗体は、ポリクローナル抗体又はモノクローナル抗体であってもよい。
【００１９】
また、基材に固定した抗体又は抗原は、一定量であれば良く、その量は任意である。当業者であれば、サンプル中に含まれる抗原又は抗体の予想量又は所望の測定範囲から、基材に固定した抗体又は抗原の量を適宜設計することができる。また、基材に固定した抗体又は抗原の全てが標識抗原又は抗体との複合体である必要もない。
【００２０】
本発明の一態様において、測定対象である抗原は低分子化合物であってもよい。本発明において低分子化合物とは、分子量が５０００以下、好ましくは、１０００以下、より好ましくは、５００以下の化合物をいう。
【００２１】
本発明において、低分子化合物は、生理活性を有する物質、例えば、農薬、医薬、食品添加物、飼料添加物又は動物用医薬であってもよい。より具体的には、本発明の低分子化合物は、ニューキノロン系抗生物質である。ニューキノロン系抗菌剤としては、ノルフロキサシン(norfloxacin)、エンロフロキサシン(enrofloxacin)、シプロフロキサシン(ciprofloxacin)、又はダノフロキサシン(danofloxacin)などを挙げることができるが、これらに限定されることはない。
【００２２】
本発明の一態様において、抗原は、食品に由来することができる。食品としては、食肉、魚介類、植物などの天然食品又は加工食品が挙げることができる。例えば、畜産動物肉や養殖魚介肉、あるいは牛乳などの加工食品を好ましい例として挙げることができる。例えば、牛肉や豚肉などの畜産動物肉、鰻やハマチなどの養殖魚肉、アワビやサザエなどの養殖貝肉、あるいは鰻の蒲焼や牛乳などの加工食品を好ましい例として挙げることができる。本発明の方法では、これらの食品から採取した食品試料中に残留するニューキノロン系抗菌剤を測定することができるが、食品試料としては、食肉動物からの採取血液、あるいは食肉や加工食品の絞り汁又は抽出物などを用いることができる。血液、絞り汁、牛乳などを試料として用いる場合には緩衝液などで適宜希釈して測定を行なうことができる。食肉や加工食品の切片などからメタノール又はエタノールなどの有機溶媒を用いて抽出した抽出物を適宜の緩衝液で希釈して測定を行なってもよい。また、本発明の測定対象である抗原又は抗体は、食品のみならず、土壌、水質、血液などの生体成分、さらには、繊維等にふくまれるものもいう。
【００２３】
本発明の一態様において、測定対象である抗体としては、動物体内に産生される体液中の抗体、たとえば、インスリン抗体、Ｏ−１５７抗体、ハシカ抗体、自己抗体を挙げることができる。抗体の測定系は、抗原についての測定系の抗原を抗体に替え、抗体を抗原に替えたものであり、一方を実施することができれば他方も実施することができることから、抗体の測定系については、説明を省略する。
【００２４】
本発明の抗体は、抗原を動物に投与して免疫することによりに容易に製造することができる。必要に応じて前記抗原溶液に適宜のアジュバントを添加してもよい。
【００２５】
免疫に用いる動物の種類も特に限定されず、例えばマウス、ラット、ウシ、ウサギ、ヤギ、ヒツジなどを用いることができる。動物の免疫は当業界で利用可能な方法に従って行えばよく、例えば、抗原の溶液、好ましくはアジュバントとの混合物を哺乳動物の皮下、皮内、静脈、又は腹腔内に注射することにより免疫を行うことができる。
【００２６】
免疫された動物の血清から本発明の抗体を取得することができる。抗体の精製は、例えば、抗体の精製はＤＥＡＥ陰イオン交換クロマトグラフィー、アフィニティークロマトグラフィー、硫安分画法、ＰＥＧ分画法、エタノール分画法などを適宜組み合わせて行うことができる。
【００２７】
本発明の抗体として、免疫した動物のリンパ球を用いて製造したハイブリドーマから産生されるモノクローナル抗体を用いることもできる。モノクローナル抗体の製造方法については当業界で周知されており、かつ汎用されているので当業者は前記の抗原を用いることによって本発明の抗体を容易に製造することが可能である。
【００２８】
本発明で基材に固定とは、基材に抗体又は抗原を物理的に吸着させ、あるいは化学的に結合させることをいう。本発明の基材としては、ポリスチレン樹脂などの高分子基材、ガラスなどの無機基材、セルロースやアガロースなどの多糖類基材などを挙げることができる。また、基材の形状は特に限定されず、板状、ビーズ状など任意の形状を選択することができる。
【００２９】
抗原抗体複合体と測定対象を含む溶液との分離の工程は、溶液から抗原抗体複合体を除去するか、又は前記溶液の一部を回収する等の任意の方法を用いることができる。
【００３０】
本発明に用いることができる標識としては、たとえば、放射性同位体、酵素、蛍光色素等を用いることができる。
【００３１】
本発明の一態様では、抗体を直接標識するのではなく、標識された抗抗体抗体（二次抗体）を用いて、間接的に標識することもできる。
【００３２】
本発明で用いる酵素標識としては、ホースラディッシュパーオキシダーゼ、アルカリホスファターゼ及びガラクトシダーゼを挙げることができ、好ましくは、ホースラディッシュパーオキシダーゼである。また、発色基質は、ホースラディッシュパーオキシダーゼの場合には、例えば３，３’，５，５’−テトラメチルベンジジン（ＴＭＢ）である。
【００３３】
本発明において「測定」とは、標識された抗原又は抗体の存在を検出することにより、測定対象中の標識されていない抗原又は抗体の存在を検出することをいう。たとえば、酵素標識の場合は、発色基質を添加し、溶液の吸光度を測定することにより、測定対象中の標識されていない抗原又は抗体の存在を検出することをいう。
【００３４】
本発明の一態様は、測定対象である抗原に特異的な抗体を基材に固定し、この固定した抗体に標識された測定対象である抗原が結合した、標識された抗原抗体複合体、及び、発色基質を含む、抗原の測定のためのキットである。また、本発明の一態様は、測定対象である抗体に特異的な抗原を基材に固定し、この固定した抗原に標識された測定対象である抗体が結合した、標識された抗体抗原複合体、及び、発色基質を含む、抗体の測定のためのキットである。また、さらなる本発明の一態様は、測定対象である抗原に特異的な抗体を基材に固定し、この固定した抗体に標識された測定対象である抗原が結合した、標識された抗原抗体複合体、及び、発色基質を含む、抗原の測定のための全自動フローセル装置である。また、別の本発明の一態様は、測定対象である抗体に特異的な抗原を基材に固定し、この固定した抗原に標識された測定対象である抗体が結合した、標識された抗体抗原複合体、及び、発色基質を含む、抗体の測定のための全自動フローセル装置である。
【００３５】
標識がホースラディッシュパーオキシダーゼである場合には、発色基質として、３，３’，５，５’−テトラメチルベンジジン（ＴＭＢ）溶液をキットに含ませることができ、場合によりＴＭＢ安定化基質を加えることもできる。
【００３６】
本発明のキットの一態様を図３に示した。
【実施例１】
【００３７】
抗原測定用抗体結合プレート：基材（マイクロプレート）−第一抗体（抗ノルフロキサシン抗体）−ＨＲＰ標識抗原（ノルフロキサシン）について、抗原と反応させ、抗原―ＨＲＰの遊離量の変化を検討した。
【００３８】
９６穴プレートに抗ニューキノロンモノクローナル抗体（１０μｇ／ｍＬ）を１００μＬコーティングし、その後２．５％カゼインでブロッキングを行い、反応プレートとした。このプレートにノルフロキサシン−ＨＲＰ（１．５μｇ／ｍＬ）１００μＬを室温で１時間反応させ、ＰＢＳ−Ｔ（０．０２５％ｔｗｅｅｎ２０含有）で３回洗浄した。同様に、このプレートに各濃度のエンロフロキサシン（０、１０、１００、１０００ｎｇ／ｍＬ）１００μＬを室温で１時間反応させた後、プレートのウエル内の溶液７５μＬを分取して、他の空ウエルに分注し、その中に基質であるＴＭＢ１００μＬを添加して、１０分後にその発色量を測定した。
【００３９】
なお、本発明の抗ニューキノロンモノクローナル抗体は、ピリド［１，２，３−ｄｅ］［１，４］ベンゾキサジン−６−カルボン酸骨格を有するニューキノロン系抗菌剤であるオフロキサシンやレボフロキサシン、あるいは１−アルキル−６−フルオロ−４−オキソ−１，４−ジヒドロ−１，８−ナフチリジン−３−カルボン酸骨格を有するエノキサシンなどに対しては反応性が低いか、あるいは実質的に反応性を有しない。特に３環性の基本骨格を有するオフロキサシンやレボフロキサシンに対しては実質的に反応しない。この抗ニューキノロンモノクローナル抗体は、平成１９年６月２６日付けで、受領番号ＦＥＲＭ  ＡＰ−２１３１１として、特許生物寄託センターに寄託されている。
【００４０】
なお、抗原抗体のプレートへの吸着時には０．１Ｍ炭酸バッファー（ｐＨ８．５）を使用し、その他はすべてＰＢＳ−Ｔ（ｐＨ７．４）を使用した。この結果を図１に示した。
【００４１】
この結果から、１０ｎｇ／ｍＬの濃度でもコントロール（０ｎｇ／ｍＬ）との有意差がみられ、かつ反応比率も顕著に高かった。
【００４２】
したがって、本発明の方法は、優れた感度を有することが実証された。
【実施例２】
【００４３】
抗原としてマラカイトグリーン（発癌性）を、ノルフロキサシンの代わりに用いた以外は、実施例１と同様に操作して、実施例１と同様の結果を得た。すなわち、抗原測定用抗体結合プレート：基材（マイクロプレート）−第一抗体（抗マラカイトグリーン抗体）−ＨＲＰ標識抗原（マラカイトグリーン）について、抗原と反応させ、抗原―ＨＲＰの遊離量の変化を検討した。
【００４４】
具体的には、イムノスティック（Nalge-Nunc 社製）に、０．１Ｍ炭酸緩衝液(pH 8.5)で5μg/mLの濃度に調整した抗マラカイトグリーンモノクローナル-抗体  １mLを室温で一時間反応させた。反応後、抗体が塗布されたイムノスティックを２．５％カゼイン溶液  ２mLに浸漬し、未反応領域のブロッキングを行った。室温で一時間反応後、０．０２％Tween-PBS溶液  ２mLの中に５分間浸漬した。ついで西洋ワサビペルオキシダーゼ標識マラカイトグリーンを０．０２％Tween-PBS溶液にて希釈し、ブロッキングが終了したイムノスティックと反応させた。室温で１５分反応後、０．０２％Tween-PBS溶液  １mLに浸漬し、余分な西洋ワサビペルオキシダーゼ標識マラカイトグリーンを除去した。その後、ＰＢＳに溶解したマラカイトグリーン（各１，１０，１００ng/mL）１mLを付属のチューブに加え、この中にイムノスティックを浸漬し、室温で１０分間反応させた。反応後、スティックを取り出し、ＰＢＳ溶液中に酵素基質溶液であるテトラメチルベンチジン（ＴＭＢ，ＤＡＫＯ社製）２００μLを各チューブに添加し、室温で１５分程反応させ発色を確認した。その結果を図２に示した。
【００４５】
以下に、本発明の「追い出し法」を図示した。
【表１】
2009031024.tif 000002
【産業上の利用可能性】
【００４６】
抗原又は抗体の測定に有用である。
【図面の簡単な説明】
【００４７】
【図１】ノルフロキサシンの検出結果を示す。
【図２】マラカイトグリーンの検出結果を示す。
【図３】本発明のキットの一態様を示す。このキットは、スティックと容器からなり、スティックには、本発明の抗原抗体複合体が固定されている。
【図１】
2009031024.tif 000003
【図２】
2009031024.tif 000004
【図３】
2009031024.tif 000005